(57)【要約】  射出成形装置３０は、ターンテーブル５と、ターンテーブル５上に配置された第１、第２および第３金型と、上記第１、第２および第３金型に対して型開き・型締めをする第４、第５および第６金型と、金型内に樹脂を射出する第１射出装置１２、第２射出装置１３および第３射出装置１４と、を有する。さらに、上記第２射出装置１３および第３射出装置１４は、各々２つの射出口を備え、上記２つの射出口のうちの一方は、１次および２次射出用の射出口であり、他方は、第１および第２部材の何れか一方の外周部に沿って樹脂を射出する３次射出用の射出口である。
2020100920.tif 000002
【特許請求の範囲】
【請求項１】
金型内に樹脂を射出して第１部材および第２部材を成形する１次射出と、
前記１次射出によって成形された第１部材および第２部材の金型を同一の射出位置に移動させて型締めし、当該金型内に樹脂を射出して第１部材と第２部材とを一体化させる２次射出と、
前記２次射出が行われた金型内に樹脂を射出し、当該金型に収容されている第１部材と第２部材の少なくとも一方の外周面上に樹脂を射出する３次射出と、を行う射出成形体の製造装置であって、
往復回転するターンテーブルと、
前記ターンテーブル上に、当該ターンテーブルの回転方向に沿って所定間隔で配置された第１，第２および第３金型と、
前記第１，第２および第３金型に対して型開き・型締めされる第４，第５および第６金型と、
型締めされた金型内に樹脂を射出する第１，第２および第３射出装置と、
前記ターンテーブルに対して第１の位置制御および第２の位置制御を実行し、前記第１，第２および第３射出装置に対して第１の射出制御および第２の射出制御を実行する制御部と、
を有し、
前記制御部が前記第１の位置制御を実行すると、前記第１金型と前記第４金型とが対向し、前記第２金型と前記第５金型とが対向し、かつ、前記第３金型と前記第６金型とが対向する第１回転位置に前記ターンテーブルが回転し、
前記制御部が前記第２の位置制御を実行すると、前記第１金型と前記第６金型とが対向し、前記第２金型と前記第４金型とが対向し、かつ、前記第３金型と前記第５金型とが対向する第２回転位置に前記ターンテーブルが回転し、
前記制御部が前記第１の位置制御に続いて前記第１の射出制御を実行すると、前記第１射出装置によって前記１次射出が行われ、前記第１，第４金型において第１部材が成形され、前記第２射出装置によって前記２次射出および前記３次射出が行われ、前記第２，第５金型において第１部材と第２部材とが一体化され、一体化された第１部材と第２部材の少なくとも一方の外周部に樹脂が供給され、かつ、前記第３射出装置によって前記１次射出が行われ、前記第３，第６金型において第２部材が成形され、
前記制御部が前記第２の位置制御に続いて前記第２の射出制御を実行すると、前記第３射出装置によって前記２次射出および前記３次射出が行われ、前記第１，第６金型において第１部材と第２部材とが一体化され、一体化された第１部材と第２部材の少なくとも一方の外周面上に樹脂が射出され、前記第１射出装置によって前記１次射出が行われ、前記第２，第４金型において第１部材が成形され、かつ、前記第２射出装置によって前記１次射出が行われ、前記第３，第５金型において第２部材が成形され、
前記第２，第３射出装置は、それぞれ２つの射出口を備え、
前記２つの射出口のうちの一方は、前記１次および２次射出用の射出口であり、前記２つの射出口のうちの他方は、前記３次射出用の射出口である、射出成形体の製造装置。
【請求項２】
請求項１に記載の射出成形体の製造装置において、
前記第１，第２および第３金型は、前記ターンテーブルの回転方向に沿って１２０°間隔で配置されており、
前記第１回転位置と前記第２回転位置とは、前記ターンテーブルの回転中心に対して１２０°の角度を成す、射出成形体の製造装置。
【請求項３】
請求項１に記載の射出成形体の製造装置において、
前記第４，第５および第６金型は、互いに別個に型開き・型締めを行うように前記制御部によって制御される、射出成形体の製造装置。
【請求項４】
金型内に樹脂を射出して第１部材および第２部材を成形する１次射出と、
前記１次射出によって成形された第１部材および第２部材の金型を同一の射出位置に移動させて型締めし、当該金型内に樹脂を射出して第１部材と第２部材とを一体化させる２次射出と、
前記２次射出が行われた金型内に樹脂を射出し、当該金型に収容されている第１部材と第２部材の少なくとも一方の外周面上に樹脂を射出する３次射出と、を行う射出成形体の製造方法であって、
往復回転するターンテーブルと、前記ターンテーブル上に、当該ターンテーブルの回転方向に沿って所定間隔で配置された第１，第２および第３金型と、前記第１，第２および第３金型に対して型開き・型締めされる第４，第５および第６金型と、型締めされた金型内に樹脂を射出する第１，第２および第３射出装置と、前記ターンテーブルに対して第１の位置制御および第２の位置制御を実行し、前記第１，第２および第３射出装置に対して第１の射出制御および第２の射出制御を実行する制御部と、を有する前記射出成形体の製造装置を準備し、
前記制御部が前記第１の位置制御を実行すると、前記第１金型と前記第４金型とが対向し、前記第２金型と前記第５金型とが対向し、かつ、前記第３金型と前記第６金型とが対向する第１回転位置に前記ターンテーブルが回転し、
前記制御部が前記第２の位置制御を実行すると、前記第１金型と前記第６金型とが対向し、前記第２金型と前記第４金型とが対向し、かつ、前記第３金型と前記第５金型とが対向する第２回転位置に前記ターンテーブルが回転し、
前記制御部が前記第１の位置制御に続いて前記第１の射出制御を実行すると、前記第１射出装置によって前記１次射出が行われ、前記第１，第４金型において第１部材が成形され、前記第２射出装置によって前記２次射出および前記３次射出が行われ、前記第２，第５金型において第１部材と第２部材とが一体化され、一体化された第１部材と第２部材の少なくとも一方の外周部に樹脂が供給され、かつ、前記第３射出装置によって前記１次射出が行われ、前記第３，第６金型において第２部材が成形され、
前記制御部が前記第２の位置制御に続いて前記第２の射出制御を実行すると、前記第３射出装置によって前記２次射出および前記３次射出が行われ、前記第１，第６金型において第１部材と第２部材とが一体化され、一体化された第１部材と第２部材の少なくとも一方の外周部に樹脂が供給され、前記第１射出装置によって前記１次射出が行われ、前記第２，第４金型において第１部材が成形され、かつ、前記第２射出装置によって前記１次射出が行われ、前記第３，第５金型において第２部材が成形され、
前記第２，第３射出装置は、それぞれ２つの射出口を備えており、前記第２，第３射出装置において、前記１次，２次射出の際には、前記２つの射出口のうちの一方の射出口から樹脂を射出して前記第１，第２部材の成形あるいは前記第１部材と前記第２部材とを一体化する成形を行い、前記３次射出の際には、前記２つの射出口のうちの他方の射出口から前記第１部材と前記第２部材の何れか一方の外周部に沿って樹脂を射出する、射出成形体の製造方法。
【請求項５】
請求項４に記載の射出成形体の製造方法において、
前記第１，第２および第３金型は、前記ターンテーブルの回転方向に沿って１２０°間隔で配置され、
前記第１回転位置と前記第２回転位置とは、前記ターンテーブルの回転中心に対して１２０°の角度を成す、射出成形体の製造方法。
【請求項６】
請求項４に記載の射出成形体の製造方法において、
前記第１および第２回転位置のそれぞれで前記３次射出終了後に型開きを行った後、前記第１および第２回転位置のそれぞれで前記射出成形体の完成品を金型内から取り出す、射出成形体の製造方法。
【請求項７】
請求項４に記載の射出成形体の製造方法において、
前記第１および第２回転位置のそれぞれにおける前記第４、第５および第６金型のそれぞれの型締め・型開きを、それぞれ別個に行う、射出成形体の製造方法。
【請求項８】
請求項４に記載の射出成形体の製造方法によって形成された樹脂成形品であって、
非透光性樹脂からなる前記第１部材と、
透光性脂樹からなる前記第２部材と、
非透光性樹脂からなる第３部材と、
を有し、
前記第３部材は、前記第１部材または前記第２部材のうちの何れか一方の外周部に沿って設けられている、樹脂成形品。
【発明の詳細な説明】
【技術分野】
【０００１】
本発明は、ドアミラー等に取り付けられる射出成形体の製造装置および製造方法、樹脂成形品に関する。
【背景技術】
【０００２】
自動車のドアミラー等に取り付けられる射出成形体の一例として、レンズとハウジングとが一体に成形される射出成形体が知られている。この射出成形体では、２種類の樹脂材からなる２つの部材が一体化されている。ドアミラーと射出成形体との接合部には隙間が形成され易く、隙間が形成されると、走行中に隙間によって風切り音が発生したり、ドアミラーと射出成形体との接合部の隙間から漏光が発生したりする。この風切り音や漏光対策として、射出成形完了後の射出成形体のレンズの表面には、上記接合部に後付けでパッキンなどの対策部材を貼り付けている。【０００３】
なお、射出成形体の製造装置および製造方法については、特許文献１および２にその構造および製造方法が開示されており、ターンテーブルを回動させてターンテーブル上で同時に複数の処理を行いつつ、異なる材料からなる部材を一体化することが開示されている。
【先行技術文献】
【特許文献】
【０００４】
【特許文献１】特開２０１６−１１７２２１号公報
【特許文献２】特開２０１０−１７９５１１号公報
【発明の概要】
【発明が解決しようとする課題】
【０００５】
しかしながら、上記特許文献１および２に記載された射出成形体の製造装置および製造方法では、２つの部材を一体化する樹脂成形はできるものの、風切り音や漏光対策用の部材を上記製造装置内で取り付けることはできない。【０００６】
したがって、パッキンなどの風切り音や漏光を防止するための対策部材は射出成形体に別工程で後付けすることになる。上記対策部材を射出成形後に後付けすると、その材料費や組付け工数が掛かることが課題である。【０００７】
また、上記対策部材を自動で組付ける自動組付け機を採用しようとすると、投資が必要となり、さらに自動組付けであっても後付けによる工数が増える。また、上記対策部材の形状が複雑な場合には、自動組付けそのものも困難なことが課題である。【０００８】
また、２つの部材を接合する２次射出後、対策部材の組付けを別工程で行うと、中間在庫が発生する。さらに、２次射出を終えた射出成形体を製造装置から一度取り出すため、静電気による異物付着が発生する惧れがあり、組付けセット時のガタなどによる製品のバラツキが発生する惧れがある。【０００９】
本発明の目的は、２つの部品の一体化成形に加えて風切り音・漏光対策部材も金型から取り出さずに成形することを可能にする射出成形体の製造装置および製造方法、樹脂成形品を提供することにある。
【課題を解決するための手段】
【００１０】
本発明の一態様は、金型内に樹脂を射出して第１部材および第２部材を成形する１次射出と、前記１次射出によって成形された第１部材および第２部材の金型を同一の射出位置に移動させて型締めし、当該金型内に樹脂を射出して第１部材と第２部材とを一体化させる２次射出と、前記２次射出が行われた金型内に樹脂を射出し、当該金型に収容されている第１部材と第２部材の少なくとも一方の外周面上に樹脂を射出する３次射出と、を行う射出成形体の製造装置である。射出成形体の製造装置は、往復回転するターンテーブルと、前記ターンテーブル上に、当該ターンテーブルの回転方向に沿って所定間隔で配置された第１，第２および第３金型と、前記第１，第２および第３金型に対して型開き・型締めされる第４，第５および第６金型と、型締めされた金型内に樹脂を射出する第１，第２および第３射出装置と、前記ターンテーブルに対して第１の位置制御および第２の位置制御を実行し、前記第１，第２および第３射出装置に対して第１の射出制御および第２の射出制御を実行する制御部と、を有する。さらに、前記制御部が前記第１の位置制御を実行すると、前記第１金型と前記第４金型とが対向し、前記第２金型と前記第５金型とが対向し、かつ、前記第３金型と前記第６金型とが対向する第１回転位置に前記ターンテーブルが回転し、前記制御部が前記第２の位置制御を実行すると、前記第１金型と前記第６金型とが対向し、前記第２金型と前記第４金型とが対向し、かつ、前記第３金型と前記第５金型とが対向する第２回転位置に前記ターンテーブルが回転する。また、前記制御部が前記第１の位置制御に続いて前記第１の射出制御を実行すると、前記第１射出装置によって前記１次射出が行われ、前記第１，第４金型において第１部材が成形され、前記第２射出装置によって前記２次射出および前記３次射出が行われ、前記第２，第５金型において第１部材と第２部材とが一体化され、一体化された第１部材と第２部材の少なくとも一方の外周部に樹脂が供給され、かつ、前記第３射出装置によって前記１次射出が行われ、前記第３，第６金型において第２部材が成形される。また、前記制御部が前記第２の位置制御に続いて前記第２の射出制御を実行すると、前記第３射出装置によって前記２次射出および前記３次射出が行われ、前記第１，第６金型において第１部材と第２部材とが一体化され、一体化された第１部材と第２部材の少なくとも一方の外周面上に樹脂が射出され、前記第１射出装置によって前記１次射出が行われ、前記第２，第４金型において第１部材が成形され、かつ、前記第２射出装置によって前記１次射出が行われ、前記第３，第５金型において第２部材が成形される。さらに、前記第２，第３射出装置は、それぞれ２つの射出口を備え、前記２つの射出口のうちの一方は、前記１次および２次射出用の射出口であり、前記２つの射出口のうちの他方は、前記３次射出用の射出口である。【００１１】
本発明の他の態様では、前記第１，第２および第３金型は、前記ターンテーブルの回転方向に沿って１２０°間隔で配置されており、前記第１回転位置と前記第２回転位置とは、前記ターンテーブルの回転中心に対して１２０°の角度を成す。【００１２】
本発明の他の態様では、前記第４、第５および第６金型は、互いに別個に型開き・型締めを行うように前記制御部によって制御される。【００１３】
本発明の他の態様は、金型内に樹脂を射出して第１部材および第２部材を成形する１次射出と、前記１次射出により成形された第１部材および第２部材の金型を同一の射出位置に移動させて型締めし、当該金型内に樹脂を射出して第１部材と第２部材とを一体化させる２次射出と、前記２次射出が行われた金型内に樹脂を射出し、当該金型に収容されている第１部材と第２部材の少なくとも一方の外周面上に樹脂を射出する３次射出と、を行う射出成形体の製造方法である。射出成形体の製造方法は、往復回転するターンテーブルと、前記ターンテーブル上に、当該ターンテーブルの回転方向に沿って所定間隔で配置された第１，第２および第３金型と、前記第１，第２および第３金型に対して型開き・型締めされる第４，第５および第６金型と、型締めされた金型内に樹脂を射出する第１，第２および第３射出装置と、前記ターンテーブルに対して第１の位置制御および第２の位置制御を実行し、前記第１，第２および第３射出装置に対して第１の射出制御および第２の射出制御を実行する制御部と、を有する前記射出成形体の製造装置を準備する。さらに、前記制御部が前記第１の位置制御を実行すると、前記第１金型と前記第４金型とが対向し、前記第２金型と前記第５金型とが対向し、かつ、前記第３金型と前記第６金型とが対向する第１回転位置に前記ターンテーブルが回転し、前記制御部が前記第２の位置制御を実行すると、前記第１金型と前記第６金型とが対向し、前記第２金型と前記第４金型とが対向し、かつ、前記第３金型と前記第５金型とが対向する第２回転位置に前記ターンテーブルが回転する。さらに、前記制御部が前記第１の位置制御に続いて前記第１の射出制御を実行すると、前記第１射出装置によって前記１次射出が行われ、前記第１，第４金型において第１部材が成形され、前記第２射出装置によって前記２次射出および前記３次射出が行われ、前記第２，第５金型において第１部材と第２部材とが一体化され、一体化された第１部材と第２部材の少なくとも一方の外周部に樹脂が供給され、かつ、前記第３射出装置によって前記１次射出が行われ、前記第３，第６金型において第２部材が成形される。さらに、前記制御部が前記第２の位置制御に続いて前記第２の射出制御を実行すると、前記第３射出装置によって前記２次射出および前記３次射出が行われ、前記第１，第６金型において第１部材と第２部材とが一体化され、一体化された第１部材と第２部材の少なくとも一方の外周部に樹脂が供給され、前記第１射出装置によって前記１次射出が行われ、前記第２，第４金型において第１部材が成形され、かつ、前記第２射出装置によって前記１次射出が行われ、前記第３，第５金型において第２部材が成形される。そして、前記第２，第３射出装置は、それぞれ２つの射出口を備えており、前記第２，第３射出装置において、前記１次，２次射出の際には、前記２つの射出口のうちの一方の射出口から樹脂を射出して前記第１，第２部材の成形あるいは前記第１部材と前記第２部材とを一体化する成形を行い、前記３次射出の際には、前記２つの射出口のうちの他方の射出口から前記第１部材と前記第２部材の何れか一方の外周部に沿って樹脂を射出する。【００１４】
本発明の他の態様では、前記射出成形体の製造方法において、前記第１，第２および第３金型は、前記ターンテーブルの回転方向に沿って１２０°間隔で配置され、前記第１回転位置と前記第２回転位置とは、前記ターンテーブルの回転中心に対して１２０°の角度を成す。【００１５】
本発明の他の態様は、前記第１および第２回転位置のそれぞれで前記３次射出終了後に型開きを行った後、前記第１および第２回転位置のそれぞれで前記射出成形体の完成品を金型内から取り出す。【００１６】
本発明の他の態様は、前記第１および第２回転位置のそれぞれにおける前記第４、第５および第６金型のそれぞれの型締め・型開きをそれぞれ別個に行う。【００１７】
本発明の他の態様は、前記射出成形体の製造方法によって形成された樹脂成形品であって、非透光性樹脂からなる前記第１部材と、透光性脂樹からなる前記第２部材と、非透光性樹脂からなる第３部材と、を有し、前記第３部材は、前記第１部材または前記第２部材のうちの何れか一方の外周部に沿って設けられている。
【発明の効果】
【００１８】
本発明によれば、１つの射出成形体の製造装置で、２つの部品の一体化成形に加えて風切り音・漏光対策部材の成形も金型から取り出さずに続いて製造することが可能になる。その結果、成形時間を短縮することができ、さらに、射出成形の精度を向上させることができる。また、風切り音・漏光対策部材の成形も金型から取り出さずに同時に行うことができるため、中間在庫を無くすことができる。さらに、人員、工数を削減することができるため、加工費を削減することが可能になる。また、製品（射出成形体、樹脂成形品）の組付けによるバラツキも抑制することができるため、製品の品質を向上させることができる。
【図面の簡単な説明】
【００１９】
【図１】本発明の実施の形態１の射出成形体の製造装置の構成を示す模式図である。
【図２】図１に示す射出成形体の製造装置の一例である射出成形装置の構造を示す概念図である。
【図３】図２に示す射出成形装置によって製造された射出成形体の構造を示す平面図である。
【図４】本発明の射出成形体の製造方法における組立て手順を示す図であり、（ａ）は第１回転位置における組立て手順、（ｂ）は第２回転位置における組立て手順である。
【図５】図１に示す射出成形体の製造装置の各金型の配置位置を示す概念図であり、（ａ）は第１、第２、第３金型、（ｂ）は第４、第５、第６金型の配置位置である。
【図６】（ａ），（ｂ），（ｃ）は第１回転位置における射出成形工程を示す概念図である。
【図７】（ａ），（ｂ），（ｃ）は第２回転位置における射出成形工程を示す概念図である。
【図８】図４に示す射出成形体の製造方法におけるレンズ成形工程で形成されるレンズの構造を示す斜視図である。
【図９】図４に示す射出成形体の製造方法におけるハウジング成形工程で形成されるハウジングの表面側の構造を示す斜視図である。
【図１０】図９に示すハウジングの裏面側の構造を示す斜視図である。
【図１１】図４に示す射出成形体の製造方法における２次成形工程で形成されるレンズ−ハウジング成形体の構造を示す斜視図である。
【図１２】図１１に示すレンズ−ハウジング成形体においてハウジングを取り除いた構造を示す斜視図である。
【図１３】図４に示す射出成形体の製造方法におけるインナーハウジング組付け工程後の組付け体の構造を示す斜視図である。
【図１４】本発明の実施の形態２の射出成形体の構造を示す斜視図である。
【図１５】図１４に示す射出成形体の内部構造を示す斜視図である。
【発明を実施するための形態】
【００２０】
以下、本発明の実施の形態について図面を用いて詳細に説明する。
【００２１】
（実施の形態１）
本実施の形態１の射出成形装置（射出成形体の製造装置）３０は、１次射出によって第１部材と第２部材とを成形し、さらに上記１次射出によって成形された第１部材および第２部材の金型を同一の射出位置に移動させて型締めし、第１部材と第２部材とを突き合わせた状態で一体化する２次射出を行い、２次射出後、一体化された成形体の外面上にエラストマや樹脂等を３次射出することで射出成形体を形成する製造装置である。そして、上記第１部材と上記第２部材とは、材料が同一の樹脂材または互いに異なる樹脂材からなる部材である。
【００２２】
本実施の形態１では、射出成形体の一例として、図３に示すような、自動車のドアミラーなどに取り付けられるランプ１を取り上げ、さらに、ランプ１の構成部材である上記第１部材の一例として、ハウジング２を取り上げ、また、ランプ１の構成部材である上記第２部材の一例として、レンズ３を取り上げて説明する。すなわち、本実施の形態１の射出成形体は、ハウジング２とレンズ３とが一体に成形されて成るランプ１である。なお、ハウジング２は、例えば、ポリカ系樹脂などの非透光性樹脂からなり、レンズ３は、例えばアクリル系樹脂などの透光性脂樹からなる。
【００２３】
本実施の形態１では、射出成形装置３０の何れかの金型によってハウジング２もしくはレンズ３を射出成形することを１次射出と呼び、また、射出成形装置３０の何れかの金型によって、１次射出で成形されたハウジング２とレンズ３との接合部分に樹脂を射出成形して一体化することを２次射出または２次成形と呼ぶ。さらに、２次射出後、当該２次射出を行った金型内で成形体を取り出さずにそのまま図３に示す風切り音・漏光対策部材１７を形成するための樹脂を上記成形体の外面上に射出して射出成形体（図３に示すランプ１）を形成することを３次射出と呼ぶ。
【００２４】
なお、風切り音・漏光対策部材１７は、自動車のドアミラーに取り付けられたランプ１において、走行中に発生する風切り音および漏光を防止するための樹脂製の部材である。風切り音・漏光対策部材１７は、例えば、エラストマまたはポリカ系樹脂などの非透光性樹脂からなる。
【００２５】
図１、図２に示す本実施の形態１の射出成形装置（射出成形体の製造装置）３０について説明する。射出成形装置３０は、射出成形が行われる第１回転位置と、射出成形が行われ、かつ上記第１回転位置と回転中心Ｃに対して所定の角度で位置する第２回転位置と、に往復回転するターンテーブル５を備えている。本実施の形態１では、上記所定の角度が１２０°の場合について説明する。すなわち、上記第１回転位置と上記第２回転位置とは、ターンテーブル５の回転中心Ｃに対して１２０°の角度を成している。
【００２６】
さらに、射出成形装置３０は、ターンテーブル５上に、このターンテーブル５の回転方向に沿って所定間隔で配置された第１金型６、第２金型７および第３金型８を備えている。本実施の形態１では、ターンテーブル５上において回転中心Ｃに対して互いが１２０°を成す角度で配置された第１金型６、第２金型７および第３金型８を備えている場合について説明する。そして、射出成形装置３０は、第１金型６、第２金型７および第３金型８に対して型開き・型締めをする第４金型９、第５金型１０および第６金型１１を備えている。また、型締めされた金型内に樹脂を射出する第１射出装置１２、第２射出装置１３および第３射出装置１４と、ターンテーブル５の回転動作、型開き・型締めをするため、第１金型６、第２金型７および第３金型８の何れかに対して、第４金型９、第５金型１０および第６金型１１を接近させたり、離反させたりする動作、使用する上記射出装置、使用する樹脂および射出のタイミングなどを制御する制御部１６と、を備えている。制御部１６は、例えば、ターンテーブル５に対して第１の位置制御および第２の位置制御を実行する制御を行い、さらに、第１射出装置１２、第２射出装置１３および第３射出装置１４に対して第１の射出制御および第２の射出制御を実行する制御を行う。
【００２７】
ターンテーブル５上に設けられた第１金型６、第２金型７および第３金型８のそれぞれは、下型である。そのうち、第１金型６および第２金型７は、ハウジング２を成形するための金型であり、型開きした際に、射出成形されたハウジング２が金型内に残る側の雌型である。また、第３金型８は、レンズ３を成形するための金型であり、型開きした際に、射出成形されたレンズ３が金型から外れる側の雄型である。
【００２８】
一方、ターンテーブル５の上方には、第１金型６、第２金型７および第３金型８のそれぞれの停止位置に対応して配置され、かつ第１金型６、第２金型７および第３金型８のそれぞれの上型となる第４金型９、第５金型１０および第６金型１１が設けられている。第４金型９、第５金型１０および第６金型１１のそれぞれは、上下に移動して第１金型６、第２金型７および第３金型８のそれぞれに対して型締め・型開きを行う。すなわち、第４金型９、第５金型１０および第６金型１１のそれぞれは、第１金型６、第２金型７および第３金型８のそれぞれに対して接近離反するように設けられている。
【００２９】
なお、第４金型９は、ハウジング２を成形するための金型であり、型開きした際に、射出成形されたハウジング２が金型から外れる側の雄型である。そして、第５金型１０および第６金型１１は、レンズ３を成形するための金型であり、型開きした際に、射出成形されたレンズ３が金型内に残る側の雌型である。
【００３０】
そして、後述する図５に示すように、第１金型６、第２金型７、第３金型８、第４金型９、第５金型１０および第６金型１１のそれぞれには、射出成形を行う成形体の形に応じたキャビティ１８が形成されている。
【００３１】
また、図２に示すように、射出成形装置３０においては、第４金型９に第１射出装置１２が取り付けられ、第５金型１０に第２射出装置１３が取り付けられ、さらに第６金型１１に第３射出装置１４が取り付けられており、それぞれ制御部１６の制御によって必要なタイミングで必要な樹脂を射出するようになっている。具体的には、第１射出装置１２は、ハウジング２を成形するための１次射出を行う。また、第２射出装置１３および第３射出装置１４のそれぞれは、レンズ３を成形するための１次射出と、ハウジング２とレンズ３とを一体化するための一体化用樹脂（後述する図１２参照）４を射出する２次射出と、２次射出によって成形された成形体に風切り音・漏光対策部材１７を成形するための樹脂を射出する３次射出と、を行うようになっている。
【００３２】
なお、本実施の形態１の射出成形装置３０において、第１射出装置１２は、射出口１２ｂを有する射出筒１２ａを備えている。そして、第２射出装置１３および第３射出装置１４は、それぞれ２つの射出口を備えている。上記２つの射出口のうちの一方は、１次射出用および２次射出用の射出口である。また、上記２つの射出口のうちの他方は、２次射出後、ハウジング２とレンズ３のうちの何れか一方の外周部に沿って風切り音・漏光対策部材１７を成形するための樹脂を射出する３次射出用の射出口である。
【００３３】
具体的には、第２射出装置１３は、第１射出口１３ｂを有した第１射出筒１３ａおよび第２射出口１３ｄを有した第２射出筒１３ｃを備えている。第２射出装置１３では、例えば、１次射出用および２次射出用として、第１射出筒１３ａを用い、第１射出口１３ｂから１次射出用または２次射出用の樹脂を射出し、さらに３次射出用として、第２射出筒１３ｃを用い、第２射出口１３ｄから３次射出用の風切り音・漏光対策部材１７を成形するための樹脂を射出する。
【００３４】
また、第３射出装置１４は、第１射出口１４ｂを有した第１射出筒１４ａおよび第２射出口１４ｄを有した第２射出筒１４ｃを備えている。第３射出装置１４では、例えば、１次射出用および２次射出用として、第１射出筒１４ａを用い、第１射出口１４ｂから１次射出用または２次射出用の樹脂を射出し、さらに３次射出用として、第２射出筒１４ｃを用い、第２射出口１４ｄから３次射出用の風切り音・漏光対策部材１７を成形するための樹脂を射出する。
【００３５】
そして、射出成形装置３０では、ターンテーブル５の１２０°の往復回転の移動制御（第１の位置制御、第２の位置制御）、第４金型９、第５金型１０、第６金型１１の型締め・型開きの際の下型への接近・離反制御、および第１射出装置１２、第２射出装置１３、第３射出装置１４の射出制御（第１の射出制御、第２の射出制御）は、図２に示す制御部１６によって実行される。
【００３６】
なお、図１に示すように、ターンテーブル５の周囲には、適度な間隔を設けてハンドリング用のロボットが配置されている。例えば、第１ロボット１９と第２ロボット２０とがターンテーブル５の周囲の対向する位置に配置されており、各金型における被処理体（成形体）の搬入・取り出しを行っている。
【００３７】
次に、図３に示す射出成形体であるランプ１について説明する。ランプ１は、本実施の形態１の図１および図２に示す射出成形装置３０によって成形される射出成形体であり、２種類以上の樹脂によって一体成形される樹脂成形品である。なお、ランプ１は、主に、レンズ（第２部材）３と、中空構造を備えたハウジング（第１部材）２と、内部に設けられた電球およびソケットなどの封入部材１５とからなる。ハウジング２とレンズ３とは、互いに異なる樹脂からなり、後述する図１２に示す一体化用樹脂４によって一体化されている。さらに、図３に示すように、レンズ３の外周部のハウジング２との接合部には、風切り音や漏光などの防止用の風切り音・漏光対策部材（第３部材）１７が成形されている。なお、風切り音・漏光対策部材１７は、レンズ３の外周部全体に亘って形成されていてもよいし、外周部の一部分に形成されていてもよい。さらに、ランプ１がドアミラーに取り付けられる際、ドアミラーの本体部とレンズ３との接合部に外部には露出しないように設けられていてもよい。
【００３８】
次に、本実施の形態１の射出成形体の製造方法について説明する。
【００３９】
図５（ａ）に示すように、ターンテーブル５には、第１金型６、第２金型７および第３金型８のそれぞれが、互いに図１に示す回転中心Ｃに対して１２０°の間隔で配置されている。言い換えると、ターンテーブル５の回転方向に沿って１２０°間隔で配置されている。一方、第１金型６、第２金型７および第３金型８のそれぞれの金型に対応するように、ターンテーブル５の上方には、図５（ｂ）に示すように、第４金型９、第５金型１０および第６金型１１のそれぞれが配置されている。
【００４０】
図４に示す射出成形の手順に沿って射出成形体の製造方法を説明する。なお、図４（ａ）、（ｂ）を用いた製造手順において、ここでは、図４（ａ）に示す工程１から開始するものとして説明する。ただし、実際の製造では、工程１は、工程１２の後に行う工程であることは言うまでもない。
【００４１】
まず、ターンテーブル５が往復回転を行った際に停止する第１回転位置と第２回転位置について説明する。上記第１回転位置と第２回転位置とは、ターンテーブル５が時計方向もしくは反時計方向に往復回転（旋回）を行って停止する位置であり、ターンテーブル５の回転中心Ｃに対して１２０°の角度を成す位置関係となっている。例えば、上記第１回転位置では、図１に示すように、互いに回転中心Ｃに対して１２０°の間隔で設定されるＡ１箇所、Ｂ１箇所、Ｃ１箇所のそれぞれにおいて、所望の射出成形が行われる。
【００４２】
また、上記第１回転位置からターンテーブル５が反時計方向もしくは時計方向に１２０°回転して停止した第２回転位置においても、上記Ａ１箇所、Ｂ１箇所、Ｃ１箇所のそれぞれにおいて、所望の射出成形が行われる。
【００４３】
まず、ターンテーブル５が上記第１回転位置に停止している場合を説明する。ターンテーブル５が上記第１回転位置に停止している時、図６（ａ）に示すように、第１金型６が第４金型９に、第２金型７が第５金型１０に、第３金型８が第６金型１１にそれぞれ対向して配置されている。そして、図４（ａ）の工程１に示すように、上記第１回転位置のＡ１、Ｂ１、Ｃ１のそれぞれの箇所において、各金型の上型である第４金型９、第５金型１０および第６金型１１が移動して型締めが行われる（図６（ａ）の状態）。
【００４４】
型締め後、図４（ａ）の工程２において第１の射出制御が実行される。具体的には、上記第１回転位置のＡ１箇所で、第１金型６と第４金型９とで第１部材であるハウジング２を成形する（ハウジング成形）。この工程２におけるハウジング２の射出は、第１射出装置１２による１次射出である。その際、図２に示す第１射出装置１２の射出筒１２ａの射出口１２ｂからハウジング２を成形するための樹脂を射出する。図９および図１０は、１次射出によって成形されるハウジング２の構造を示しており、図９に示すように、ハウジング２は部品装着用の中空部２ａを備えている。
【００４５】
また、工程２において、上記第１回転位置のＣ１箇所で、第３金型８と第６金型１１とで、図８に示す第２部材であるレンズ３を成形する（レンズ成形）。この工程２におけるレンズ３を成形するための射出は、第３射出装置１４による１次射出である。その際、第３射出装置１４が備える第１射出筒１４ａの第１射出口１４ｂからレンズ３を成形するための樹脂を射出する。図８は、１次射出によって成形されるレンズ３の構造を示している。レンズ３はハウジング２と異なる樹脂からなる。
【００４６】
さらに、工程２において、上記第１回転位置のＢ１箇所で、第２金型７と第５金型１０とで、１次射出されたハウジング２とレンズ３とを一体化する第２射出装置１３による２次射出を行う。つまり、ハウジング２を成形した金型とレンズ３を成形した金型とを同一の射出位置（成形位置）に移動させて型締めし、この状態でハウジング２とレンズ３とを一体化する２次射出を行う。その際、第２射出装置１３が備える第１射出筒１３ａの第１射出口１３ｂからハウジング２とレンズ３とを一体成形するための一体化用樹脂（図１２参照）４を射出する。この時、ハウジング２とレンズ３との突き合わせ部に一体化用樹脂４を射出する。図１１は、２次射出によって一体化（２次成形）された成形体を示す。すなわち、図１１に示す成形体は、一体化用樹脂４を介してレンズ３とハウジング２とが一体化された構造体である。
【００４７】
なお、射出成形装置３０が行う一連の動作において、図４（ａ）に示す１回目の工程１の後の工程２のＢ１箇所においては、前段のハウジング成形およびレンズ成形の工程を経ておらず、まだハウジング２とレンズ３が成形されていない。したがって、ハウジング２とレンズ３とを一体化するための第２射出装置１３からの一体化用樹脂４の射出は行われない。
【００４８】
また、ハウジング２とレンズ３との一体成形（２次成形）後、図４（ａ）の工程３のＢ１箇所で３次射出を行う(第１の射出制御)。この３次射出（工程３）では、風切り音・漏光対策成形を行う。ここでは、第２射出装置１３が備える第２射出筒１３ｃの第２射出口１３ｄから風切り音・漏光対策部材１７を成形するための樹脂を射出する。その際、図３に示すように、レンズ３の外周部に沿って風切り音・漏光対策部材１７を成形するための樹脂を射出する。具体的には、レンズ３とハウジング２の両者に接合し、かつレンズ３の外周部に沿うように風切り音・漏光対策部材１７を成形するための樹脂を射出する。これにより、図３に示すランプ（射出成形体）１の製造を完了する。
【００４９】
なお、ランプ１は、その構成部材であるハウジング２とレンズ３とが異なる樹脂から成形される部材であるため、少なくとも２種類以上の樹脂によって一体成形されるものである。
【００５０】
ランプ１の製造完了後、図４（ａ）の工程４に示すように、上記第１回転位置のＡ１、Ｂ１、Ｃ１のそれぞれの箇所において各金型の上型である第４金型９、第５金型１０および第６金型１１を移動して型開きを行う（図６（ｂ）の状態）。
【００５１】
上記型開き後、図４（ａ）の工程５において、上記第１回転位置のＡ１箇所で、インナーハウジング組付けを行う。ここでは、図１に示す第１ロボット１９のハンドリングによって、図１３に示すように、ハウジング２の中空部２ａに封入部材１５であるＬＥＤ（発光ダイオード）や電球付きソケットを配置する。
【００５２】
次に、ターンテーブル５を上記第１回転位置から反時計方向に１２０°旋回させて第２回転位置で停止させる（第１の位置制御）。すなわち、ターンテーブル５を第２回転位置に位置させる。ターンテーブル５が上記第２回転位置に位置する時には、図６（ｃ）に示すように、第１金型６が第６金型１１に、第２金型７が第４金型９に、第３金型８が第５金型１０にそれぞれ対向して配置されている。
【００５３】
ターンテーブル５の旋回後、図４（ｂ）の工程６において、上記第２回転位置のＡ１箇所で、完成品取り出しを行う。ここでは、図１に示す第１ロボット１９のハンドリングによって、図３に示す完成品であるランプ１を取り出す。
【００５４】
ランプ１の取り出し後、図４（ｂ）の工程７において、上記第２回転位置のＡ１、Ｂ１、Ｃ１のそれぞれの箇所において各金型の上型である第４金型９、第５金型１０および第６金型１１が移動して型締めが行われる（図７（ａ）の状態）。
【００５５】
型締め後、図４（ｂ）の工程８において第２の射出制御が実行される。具体的には、上記第２回転位置のＡ１箇所で、第２金型７と第４金型９とで第１部材であるハウジング２を成形する（ハウジング成形）。この工程８におけるハウジング２の射出は、第１射出装置１２による１次射出である。その際、第１射出装置１２の射出筒１２ａの射出口１２ｂから図９および図１０に示すハウジング２を成形するための樹脂を射出する。図９に示すように、ハウジング２は部品装着用の中空部２ａを備えている。
【００５６】
また、工程８において、上記第２回転位置のＢ１箇所で、第３金型８と第５金型１０とで、第２部材である図８に示すレンズ３を成形する（レンズ成形）。この工程８におけるレンズ３の射出は、第２射出装置１３による１次射出である。その際、第２射出装置１３が備える第１射出筒１３ａの第１射出口１３ｂからレンズ３を成形するための樹脂を射出する。
【００５７】
さらに、工程８において、上記第２回転位置のＣ１箇所で、第１金型６と第６金型１１とで、１次射出されたハウジング２とレンズ３とを一体化する第３射出装置１４による２次射出（２次成形）を行う。その際、第３射出装置１４が備える第１射出筒１４ａの第１射出口１４ｂからハウジング２とレンズ３とを一体成形するための一体化用樹脂（図１２参照）４を射出する。具体的には、ハウジング２とレンズ３との突き合わせ部に一体化用樹脂４を射出する。図１１に示す成形体は、２次射出によって一体化（２次成形）された成形体であり、一体化用樹脂４を介してレンズ３とハウジング２とが一体化された構造物である。
【００５８】
また、ハウジング２とレンズ３との一体成形（２次成形）後、図４（ｂ）の工程９のＣ１箇所で３次射出を行う（第２の射出制御）。この３次射出（工程９）では、風切り音・漏光対策成形を行う。ここでは、第３射出装置１４が備える第２射出筒１４ｃの第２射出口１４ｄから風切り音・漏光対策部材１７を成形するための樹脂を射出する。その際、図３に示すように、レンズ３の外周部に沿って風切り音・漏光対策部材１７を成形するための樹脂を射出する。具体的には、レンズ３とハウジング２の両者に接合し、かつレンズ３の外周部に沿うように風切り音・漏光対策部材１７を成形するための樹脂を射出する。これにより、図３に示すランプ（射出成形体）１の製造を完了する。
【００５９】
ランプ１の製造完了後、図４（ｂ）の工程１０に示すように、上記第２回転位置のＡ１、Ｂ１、Ｃ１のそれぞれの箇所において各金型の上型である第４金型９、第５金型１０および第６金型１１を移動して型開きを行う（図７（ｂ）の状態）。
【００６０】
上記型開き後、図４（ｂ）の工程１１において、上記第２回転位置のＡ１箇所で、インナーハウジング組付けを行う。ここでは、図１に示す第１ロボット１９のハンドリングによって、図１３に示すように、ハウジング２の中空部２ａに封入部材１５である電球付きソケットを配置する。
【００６１】
次に、ターンテーブル５を上記第２回転位置から時計方向に１２０°旋回させて停止させる（第２の位置制御）。すなわち、ターンテーブル５を第１回転位置に位置させる。ターンテーブル５が図７（ｃ）に示す第１回転位置に位置する時には、第１金型６が第４金型９に、第２金型７が第５金型１０に、第３金型８が第６金型１１にそれぞれ対向して配置されている。
【００６２】
ターンテーブル５の旋回後、図４（ａ）の工程１２において、上記第１回転位置のＡ１箇所で、完成品取り出しを行う。ここでは、図１に示す第１ロボット１９のハンドリングによって、図３に示す完成品であるランプ１を取り出す。
【００６３】
以上により、本実施の形態１の射出成形装置３０におけるターンテーブル５の第１回転位置と第２回転位置でのランプ１の組立ての１サイクルの動作の説明を終了する。実際の組立てでは、射出成形装置３０による上記１サイクルの動作を複数回繰り返して組立てを行う。
【００６４】
本実施の形態１の射出成形装置３０および射出成形体の製造方法によれば、１つの射出成形装置３０で、２つの部品（本実施の形態１では、ハウジング２とレンズ３）の一体化成形に加えて、風切り音・漏光対策部材１７の成形も金型から取り出すことなく、続いて成形することが可能になる。
【００６５】
すなわち、３つの射出装置のうちの２つの射出装置のそれぞれが２つの射出筒を備えたことで、ハウジング２とレンズ３とを一体化成形した後、その金型から成形体を取り出すことなく引き続いて風切り音・漏光対策部材１７の成形を行うことができる。これにより、風切り音・漏光対策部材１７を成形する射出成形のための成形時間を短縮することができる。さらに、ハウジング２とレンズ３とを一体化成形した後、その金型から成形体を取り出さずに風切り音・漏光対策部材１７の射出成形を行うため、射出成形装置３０によるランプ形成における射出成形の精度を向上させることができる。
【００６６】
例えば、２つの部材を接合（一体化成形）する２次射出後、対策部材の組付けを別工程で行うと、２次射出を終えた成形体を製造装置の金型から一度取り出すため、組付けセット時のガタなどによる製品のバラツキが発生する。しかしながら、本実施の形態１の射出成形装置３０では、ハウジング２とレンズ３とを一体化成形した後、その金型の型開きを行わずに風切り音・漏光対策部材１７の射出成形を行うため、射出成形の精度を向上させることができる。
【００６７】
また、風切り音・漏光対策部材１７の成形を行う際にも、風切り音・漏光対策部材１７のための樹脂射出による成形を、成形体を金型から取り出さずに引き続いて行うことができるため、中間在庫を無くすことができる。
【００６８】
さらに、ハウジング２とレンズ３の一体化成形に加えて、風切り音・漏光対策部材１７のための樹脂射出による成形も成形体を金型から取り出すことなく、続いて成形するため、風切り音・漏光対策部材１７の成形を別工程で実施することが無く、作業者の人員、工数を削減することができる。これにより、加工費を削減することが可能になる。
【００６９】
また、ハウジング２とレンズ３の一体化成形を行った後、風切り音・漏光対策部材１７の成形を、成形体を金型から取り出すことなく、続いて成形するため、製品（射出成形体、樹脂成形品）の組付けによるバラツキも抑制することができ、製品の品質を向上させることができる。
【００７０】
（実施の形態２）
本実施の形態２では、図２に示す射出成形装置によって製造される射出成形体（樹脂成形品）において、その内部に組み付けられる封入部材の１つが導光部材（導光レンズ）の場合を説明する。
【００７１】
図１４に示す射出成形体の一例であるランプ３１の構造について説明する。ランプ３１は、２種類以上の樹脂によって成形される樹脂成形品である。ランプ３１は、主に、図１５に示す収容部４０を備えたハウジング（第１部材）３２と、ハウジング３２を覆うレンズ（第２部材）３３と、内部に封入される導光部材３６などの封入部材とからなる。ハウジング３２とレンズ３３は、互いに異なる樹脂からなり、接合用の樹脂によって接合されている。さらに、レンズ３３の外周部のハウジング３２との接合部には、自動車の走行中の風切り音や漏光などを防止するシール部材（第３部材）３４，３５が成形されている。なお、シール部材３４，３５は、レンズ３３の外周部全体に亘って形成されていてもよいし、外周部の一部分に形成されていてもよい。さらに、ランプ３１がドアミラーに取り付けられる際、ドアミラーの本体部とレンズ３３との接合部に外部には露出しないように設けられていてもよい。
【００７２】
次に、図１５を用いてランプ３１の内部構造について説明する。ランプ３１の内部には、光を導く導光部材３６と、ハウジング３２と導光部材３６との間に介在された基板３７と、基板３７に固定された図示しない半導体発光素子（ＬＥＤ：light emitting diode）と、が設けられている。基板３７は、絶縁材料によりプレート形状に成形されており、基板３７の一部は収容部４０の外に配置されている。
【００７３】
ハウジング３２は、例えば、ポリカ系樹脂などの非透光性樹脂からなり、かつ、プレート部３８と、プレート部３８に連続して設けられた支持部３９と、を備えている。支持部３９は湾曲している。プレート部３８に収容部４０が設けられている。収容部４０は凹部であり、収容部４０に基板３７が配置されている。
【００７４】
支持部３９の長さ方向に沿って２本のリブ４２，４３が設けられている。リブ４２とリブ４３とは互いに平行である。リブ４２，４３の長さ方向の端部は、収容部４０に配置されている。リブ４２，４３は、支持部３９の表面から突出している。導光部材３６は、リブ４２とリブ４３との間に配置されている。
【００７５】
また、導光部材３６は、合成樹脂、例えば、アクリル樹脂を筒形状に成形したものであり、上記半導体発光素子が発した光をレンズ３３に向けて誘導する。さらに、導光部材３６は、基板３７の表面から所定方向に突出し、かつ、湾曲して配置されている。導光部材３６の長手方向の両端部のうち、基板３７に近い方の端部にフレーム４１が設けられている。フレーム４１は、収容部４０の内外に亘って配置されており、収容部４０において、基板３７がフレーム４１に取り付けられている。
【００７６】
図１４に示すレンズ３３は、例えば、アクリル系樹脂などの透光性脂樹からなり、レンズ３３の外周縁は、ハウジング３２に接合されている。
【００７７】
さらに、図示しないミラー装置が組み立てられた状態で、レンズ３３とカバーとの間をシールするシール部材３４，３５が設けられており、これらのシール部材３４，３５は、ゴム状弾性体で帯状に成形されている。シール部材３４，３５は、例えば、エラストマまたはポリカ系樹脂などの非透光性樹脂からなる。
【００７８】
本実施の形態２のランプ３１においても、レンズ３３の外周部に沿ってシール部材３４，３５が設けられたことにより、自動車の走行中に発生する風切り音および漏光を防止することができる。
【００７９】
本発明は上記実施の形態に限定されるものではなく、その要旨を逸脱しない範囲で種々変更可能であることは言うまでもない。例えば、上記実施の形態１においては、金型（上型）の型開き・型締めが制御部１６によって同時に行われる場合を説明したが、上型である第４金型９、第５金型１０および第６金型１１は、互いに別個に型開き・型締めを行うように制御部１６によって制御されるものであってもよい。例えば、ターンテーブル５の回転位置が上記第１回転位置および上記第２回転位置のそれぞれにおいて、第４金型９、第５金型１０および第６金型１１のそれぞれの型締め・型開きの動作を、制御部１６によってそれぞれ別個に動作するように制御してもよい。
【００８０】
また、上記実施の形態１では、射出成形体の完成品（ランプ１）の金型内からの取り出しを、インナーハウジング組付け後、ターンテーブル５を１２０°旋回してから行う手順について説明した。しかしながら、完成品の金型からの取り出しは、ターンテーブル５の上記第１回転位置および第２回転位置のそれぞれの位置での金型で３次射出終了後（風切り音・漏光対策部材１７の成形後）に型開きを行った直後、すなわちインナーハウジング組付けの工程と同一の工程で、上記第１回転位置および第２回転位置のそれぞれにおいて完成品の金型からの取り出しを行ってもよい。
【００８１】
また、上記実施の形態１では、第１回転位置と第２回転位置との成す角度、および第１金型６、第２金型７、第３金型８の配置間隔（回転中心Ｃに対する角度）がそれぞれ１２０°の場合を説明したが、これらの角度は、１２０°に限らず１２０°以外の角度であってもよい。
【００８２】
また、上記実施の形態１では、射出成形装置３０において、第２射出装置１３と第３射出装置１４がそれぞれ２つの射出筒を備える場合を説明したが、第１射出装置１２にも２つの射出筒が設けられていてもよい。
【符号の説明】
【００８３】
１  ランプ（射出成形体、樹脂成形品）
２  ハウジング（第１部材）
２ａ  中空部
３  レンズ（第２部材）
４  一体化用樹脂
５  ターンテーブル
６  第１金型
７  第２金型
８  第３金型
９  第４金型
１０  第５金型
１１  第６金型
１２  第１射出装置
１２ａ  射出筒
１２ｂ  射出口
１３  第２射出装置
１３ａ  第１射出筒
１３ｂ  第１射出口
１３ｃ  第２射出筒
１３ｄ  第２射出口
１４  第３射出装置
１４ａ  第１射出筒
１４ｂ  第１射出口
１４ｃ  第２射出筒
１４ｄ  第２射出口
１５  封入部材
１６  制御部
１７  風切り音・漏光対策部材（第３部材）
１８  キャビティ
１９  第１ロボット
２０  第２ロボット
３０  射出成形装置
３１  ランプ（射出成形体、樹脂成形品）
３２  ハウジング（第１部材）
３３  レンズ（第２部材）
３４，３５  シール部材（第３部材）
３６  導光部材
３７  基板
３８  プレート部
３９  支持部
４０  収容部
４１  フレーム
４２，４３  リブ
【図１】
2020100920.tif 000003
【図２】
2020100920.tif 000004
【図３】
2020100920.tif 000005
【図４】
2020100920.tif 000006
【図５】
2020100920.tif 000007
【図６】
2020100920.tif 000008
【図７】
2020100920.tif 000009
【図８】
2020100920.tif 000010
【図９】
2020100920.tif 000011
【図１０】
2020100920.tif 000012
【図１１】
2020100920.tif 000013
【図１２】
2020100920.tif 000014
【図１３】
2020100920.tif 000015
【図１４】
2020100920.tif 000016
【図１５】
2020100920.tif 000017
【国際調査報告】
2020100920.tif 000018
2020100920.tif 000019
2020100920.tif 000020
2020100920.tif 000021